(57)【要約】    【課題】  植物の根を定着できるとともに、犬猫、害虫、モグラ、害鳥、ナメクジ、蛭や山蛭等を確実に忌避できるようにした土壌改良培養土を提供する。    【解決手段】  ６０容量％以下のタバコ葉と４０容量％以上の真土とで土壌改良培養土を構成する。４０容量％以上の真土に代え、１０容量％以上の真土と他の土壌環境構成材との組合せを用いることもできる。他の土壌環境構成材にはピートモス、バーク、パーライト、バーミキューライトや鹿沼土、角閃石及び輝石を主成分するミネラル添加剤が含まれる。真土はピートモス、バーク、パーライトとともに構成される培養土として用いることができる。【選択図】  なし【特許請求の範囲】
【請求項１】
土壌改良に用いられることのできる土壌改良培養土であって、
６０容量％以下のタバコ葉と４０容量％以上の真土とを含むことを特徴とする土壌改良培養土。
【請求項２】
土壌改良に用いられることのできる土壌改良培養土であって、
６０容量％未満のタバコ葉と１０容量％以上の真土とを含み、残部を他の土壌環境構成材としたことを特徴とする土壌改良培養土。
【請求項３】
上記真土がピートモス、バーク、パーライトとともに構成される培養土として用いられている請求項２記載の土壌改良培養土。
【請求項４】
さらに、バーミキューライト及び鹿沼土の少なくとも一方が含まれている請求項２又は３記載の土壌改良培養土。
【請求項５】
さらに、角閃石及び輝石を主成分とするミネラル添加剤が含まれている請求項２ないし４のいずれかに記載の土壌改良培養土。
【発明の詳細な説明】
【技術分野】
【０００１】
本発明は土壌改良培養土に関し、特に植物の根を定着できるとともに、犬猫、害虫、モグラ、害鳥、ナメクジ、蛭や山蛭等を確実に忌避できるようにした土壌改良培養土に関する。
【背景技術】
【０００２】
最近、生活環境に潤いを持たせるべく、例えばベランダ等で花、野菜、植木等の植物を植木鉢やプランターに植えて育成し、あるいは庭園に花、野菜、植木等の植物を植えて育成することが多くなった。植物を栽培する場合、土壌が通気性、排水性と保水性において優れていることが求められる（特許文献１）。
【０００３】
また、植物の発芽後から生育段階においては害虫による被害によって健全な生育が阻害されることから、杉の剥皮を含有させるようにした土壌改良培養土が提案されている（特許文献２）。
【０００４】
また、植物の栽培を行っていると、野良犬や野良猫が庭先やベランダに侵入し、植物やプランター等に糞尿をかけ、悪臭が問題となるばかりでなく、土壌を掘り起こして植物を傷めてしまうことがよくある。
【０００５】
ところで、タバコの葉によって犬猫を忌避できることが知られている（特許文献３）。        
【特許文献１】特開平０８−２３７６７号公報
【特許文献２】特開平０７−２２８５０７号公報
【特許文献３】特開２００２−１１４６１９号公報
【発明の開示】
【発明が解決しようとする課題】
【０００６】
そこで、庭先やベランダに犬猫が侵入するのを忌避すべく、庭やプランターに用いる培養土にタバコ葉を添加することが考えられる。しかし、タバコ葉を添加する場合、タバコ葉が多くなると、植物の根が定着し難くなる。
【０００７】
本発明はかかる問題点に鑑み、植物の根を定着できるとともに、犬猫を確実に忌避できるようにした土壌改良培養土を提供することを課題とする。
【課題を解決するための手段】
【０００８】
そこで、本発明に係る土壌改質培養土は、土壌改良に用いられることのできる土壌改良培養土であって、６０容量％以下のタバコ葉と４０容量％以上の真土とを含むことを特徴とする。
【０００９】
また、本発明に係る土壌改質培養土は、土壌改良に用いられることのできる土壌改良培養土であって、６０容量％未満のタバコ葉と１０容量％以上の真土とを含み、残部を他の土壌環境構成材としたことを特徴とする。
【００１０】
本発明の特徴の１つは土壌改良培養土に６０容量％未満のタバコ葉を含むようにした点にある。これにより、犬猫を確実に忌避できる。また、本件発明者らの試験によれば、ヨトウガの幼虫（夜盗虫）やコガネムシの幼虫（地虫）等の害虫、ドバトや烏等の害鳥、モグラ、ナメクジ、蛭等を忌避できることが確認された。
【００１１】
ところで、山間部のキャンプ場では芝生が植えられ、このキャンプ場の芝生には野生の鹿が降りて来て芝生を食べることがある。野生の鹿には山蛭が寄生し、この山蛭がキャンプ場の芝生に落ち、キャンプ場に来た人間に食らいついて吸血することが問題となっている。本件発明者らが本件発明に係る土壌改良培養土をキャンプ場の芝生に散布したところ、芝生の山蛭が逃げ出し、姿を消し、山蛭の対策にも有効であることが確認された。
【００１２】
ここで、タバコ葉を６０容量％未満としたのは６０容量％以上になると、土壌改良培養土の土質が軟らかくなりすぎ、植物の根が定着し難くなって倒れるおそれがあるからである。タバコ葉にはタバコの生産工程で出るタバコ葉の屑、回収されたタバコの吸殻から取り出されたタバコ葉等を用いることができる。
【００１３】
本発明に係る土壌改良培養土は４０容量％以上の真土を含むが、この４０容量％以上の真土に代え、１０容量％以上の真土と他の土壌環境構成材との組合せを用いるようにすることもできる。この土壌環境構成材には真土とともに一般的な培養土を構成するピートモス、バーク、パーライト、さらにはバーミキューライト、鹿沼土、角閃石及び輝石を主成分とするミネラル添加剤（ＳＳクリエーション社製商品名「クリアース」）が含まれることができる。
【発明を実施するための最良の形態】
【００１４】
〔実施例１〕
生産工程で出たタバコ葉の屑５リットル、培養土２リットル、バーミキューライト２リットル、鹿沼土１リットルを混合し、これにクリアース（ＳＳクリエーション社製）０．５ｋｇを加え、よく混ぜ合わせ、土壌改良培養土を得た。培養土には真土５リットル、ピートモス２リットル、バーク３リットル、パーライト２リットルをよく混ぜ合わせたものを用いた。
【００１５】
〔実施例２〕
タバコ葉の屑５リットル、培養土２リットル、バーミキューライト２リットル、鹿沼土１リットルを混合し、よく混ぜ合わせ、土壌改良培養土を得た。培養土には実施例１と同様の培養土を用いた。
【００１６】
〔実施例３〕
タバコ葉の屑６リットル、培養土２リットル、バーミキューライト２リットルを混合し、これにクリアース（ＳＳクリエーション社製）０．５ｋｇを加え、よく混ぜ合わせ、土壌改良培養土を得た。培養土には実施例１と同様の培養土を用いた。
【００１７】
〔実施例４〕
タバコ葉の屑６リットル、培養土２リットル、バーミキューライト２リットルをよく混ぜ合わせ、土壌改良培養土を得た。培養土には実施例１と同様の培養土を用いた。
【００１８】
〔実施例５〕
タバコ葉の屑６リットル、培養土２リットル、鹿沼土２リットルを混合し、これにクリアース（ＳＳクリエーション社製）０．５ｋｇを加え、よく混ぜ合わせ、土壌改良培養土を得た。培養土には実施例１と同様の培養土を用いた。
【００１９】
〔実施例６〕
タバコ葉の屑６リットル、培養土２リットル、鹿沼土２リットルを混合し、よく混ぜ合わせ、土壌改良培養土を得た。培養土には実施例１と同様の培養土を用いた。
【００２０】
〔実施例７〕
タバコ葉の屑６リットル、培養土４リットルを混合し、これにクリアース（ＳＳクリエーション社製）０．５ｋｇを加え、よく混ぜ合わせ、土壌改良培養土を得た。培養土には実施例１と同様の培養土を用いた。
【００２１】
〔実施例８〕
タバコ葉の屑６リットル、培養土４リットルを混合し、よく混ぜ合わせ、土壌改良培養土を得た。培養土には実施例１と同様の培養土を用いた。
【００２２】
〔実施例９〕
タバコ葉の屑２リットル、培養土４リットル、バーミキューライト２リットル、鹿沼土１リットルを混合し、これにクリアース（ＳＳクリエーション社製）０．５ｋｇを加え、よく混ぜ合わせ、土壌改良培養土を得た。培養土には実施例１と同様の培養土を用いた。      
【００２３】
〔実施例１０〕
タバコ葉の屑２リットル、培養土４リットル、バーミキューライト２リットル、鹿沼土１リットルを混合し、よく混ぜ合わせ、土壌改良培養土を得た。培養土には実施例１と同様の培養土を用いた。
【００２４】
〔実施例１１〕
タバコ葉の屑２リットル、培養土４リットル、バーミキューライト２リットルを混合し、これにクリアース（ＳＳクリエーション社製）０．５ｋｇを加え、よく混ぜ合わせ、土壌改良培養土を得た。培養土には実施例１と同様の培養土を用いた。
【００２５】
〔実施例１２〕
タバコ葉の屑２リットル、培養土４リットル、バーミキューライト２リットルをよく混ぜ合わせ、土壌改良培養土を得た。培養土には実施例１と同様の培養土を用いた。
【００２６】
〔実施例１３〕
タバコ葉の屑２リットル、培養土４リットル、鹿沼土２リットルを混合し、これにクリアース（ＳＳクリエーション社製）０．５ｋｇを加え、よく混ぜ合わせ、土壌改良培養土を得た。培養土には実施例１と同様の培養土を用いた。
【００２７】
〔実施例１４〕
タバコ葉の屑２リットル、培養土４リットル、鹿沼土２リットルを混合し、よく混ぜ合わせ、土壌改良培養土を得た。培養土には実施例１と同様の培養土を用いた。
【００２８】
〔実施例１５〕
タバコ葉の屑２リットル、培養土８リットルを混合し、これにクリアース（ＳＳクリエーション社製）０．５ｋｇを加え、よく混ぜ合わせ、土壌改良培養土を得た。培養土には実施例１と同様の培養土を用いた。
【００２９】
〔実施例１５〕
タバコ葉の屑６リットル、真土４リットルを混合し、これにクリアース（ＳＳクリエーション社製）０．５ｋｇを加え、よく混ぜ合わせ、土壌改良培養土を得た。
【００３０】
〔実施例１６〕
タバコ葉の屑６リットル、真土４リットルを混合し、よく混ぜ合わせ、土壌改良培養土を得た。
【００３１】
〔試験例〕
上記各実施例で得られた土壌改良培養土を用いて植物を育てたところ、実施例１〜実施例１４において植物が健全に生育することが確認され、特に実施例１の効果が顕著であった。また、実施例１〜実施例１６において、犬猫、害虫、害鳥、モグラ、ナメクジ、蛭や山蛭等を確実に忌避できることが確認された。